(57)【特許請求の範囲】
【請求項１】
共振周波数の大きさの順に従って基板の上に順次に形成され、正の信号成分として動作する複数の放射スロットと、
前記正の信号成分として動作する複数の放射スロットと同じ基板の上にスロットダイポールアンテナ状に形成され、共振周波数の大きさの順に従って順次に形成され、負の信号成分として動作する複数の放射スロットと、を備え、
前記正の信号成分として動作する複数の放射スロットと前記負の信号成分として動作する複数の放射スロットは、給電部を基準としてＶ字状に配置され、第１の放射スロット乃至第４の放射スロットを形成し、
第１の放射スロット乃至第４の放射スロットそれぞれは、向かい合う放射スロットパターン及び両脇に形成される放射スロットパターンと対称をなし、いずれか１つの放射スロットパターンに受信された電波信号が残りの放射スロットパターンに誘起され、最大効率で再放射させることができることを特徴とする増強アンテナ。
【請求項２】
前記正の信号成分として動作する複数の放射スロットは、所定の間隔を隔てて形成されて電磁気的に接続されて、隣り合う放射スロットの間にマルチカップリング領域を形成し、
前記負の信号成分として動作する複数の放射スロットは、所定の間隔を隔てて形成されて電磁気的に接続されて、隣り合う放射スロットの間にマルチカップリング領域を形成することを特徴とする請求項１に記載の増強アンテナ。
【請求項３】
前記正の信号成分として動作する複数の放射スロットと前記負の信号成分として動作する複数の放射スロットは、給電部を基準として一直線上に形成されることを特徴とする請求項１に記載の増強アンテナ。
【請求項４】
前記給電部の接続は、インピーダンス整合が取られて電磁気的に行われることを特徴とする請求項１に記載の増強アンテナ。
【請求項５】
前記４つの放射スロットパターンは、第１の放射スロットパターン、第２の放射スロットパターン、第３の放射スロットパターン及び第４の放射スロットパターンを備え、
前記第１の放射スロットパターンの正の信号成分側の給電部と前記第４の放射スロットパターンの負の信号成分側の給電部とがインピーダンス整合が取られて電磁気的に接続され、
前記第２の放射スロットパターンの正の信号成分側の給電部と前記第１の放射スロットパターンの負の信号成分側の給電部とがインピーダンス整合が取られて電磁気的に接続され、
前記第３の放射スロットパターンの正の信号成分側の給電部と前記第２の放射スロットパターンの負の信号成分側の給電部とがインピーダンス整合が取られて電磁気的に接続され、
前記第４の放射スロットパターンの正の信号成分側の給電部と前記第３の放射スロットパターンの負の信号成分側の給電部とがインピーダンス整合が取られて電磁気的に接続されることを特徴とする請求項１に記載の増強アンテナ。
【請求項６】
前記正の信号成分として動作する複数の放射スロット及び前記負の信号成分として動作する複数の放射スロットは、誘電層の一方の面に配置される基板の上に形成されることを特徴とする請求項１に記載の増強アンテナ。
【請求項７】
前記正の信号成分として動作する複数の放射スロット及び前記負の信号成分として動作する複数の放射スロットが形成される基板は、金属層であることを特徴とする請求項１に記載の増強アンテナ。
【請求項８】
前記金属層は、電子製品の表面に形成された金属板材であることを特徴とする請求項７に記載の増強アンテナ。
【発明の詳細な説明】
【技術分野】
【０００１】
本発明は、広い周波数帯域において動作し、且つ、無線信号を受信して再放射する増強アンテナに係り、より詳しくは、マルチカップリング領域を有する複数の放射スロットを用いて放射パターンを形成し、形成された放射パターンを対称状に結合させ、インピーダンス整合を取らせて形成した増強アンテナに関する。
【背景技術】
【０００２】
最近の高層ビルとその内部の空間の複雑化には目を見張るものがあり、ＧＳＭ（登録商標）／ＰＣＳ／３Ｇ／４Ｇなどの無線通信システムにおいて、電波環境の悪い陰影地域が建物の内部のいくつかの個所において発生した。このため、このような問題点を解消するための技術が望まれているが、従来より、中継器を用いる技術や超小型基地局を用いる技術がこのような電波環境の改善のために用いられてきた。
【０００３】
先ず、中継器を用いる技術とは、２つのアンテナと、これらの間に設けられた、両方向増幅回路を用いる能動中継器や２つのアンテナを同軸ケーブルまたは導波管によって接続する手動中継器を用いて電波環境を改善する技術である。具体的に、陰影地域を解消するために電波環境のよい建物の外部にアンテナを設け、このアンテナを導波管または同軸ケーブルに接続し、前記導波管または同軸ケーブルを建物内部の陰影地域に設けられたアンテナに接続することにより陰影地域の電波環境を改善する技術である。
【０００４】
次に、超小型基地局を用いる技術とは、建物の内部に設けられている多数のピコセル基地局またはフェムトセル基地局などの超小型基地局を用いて電波環境を改善し、無線通信のカバーレッジを改善する技術である。
【０００５】
しかしながら、上記の如き中継器を用いる技術や超小型基地局を用いる技術は、陰影地域を完全に解消するには高コストがかかり、無線通信の帯域拡張時には装備を取り替えることを余儀なくされるという問題があった。また、建物内部のガラス窓が隣り合う領域においては外部の電波信号と内部の中継された電波信号とが重なり合ってしまう現象が発生するという問題があったが、このような電波信号の重合現象に起因して当該無線通信システムに接続された端末は意図せずに多重電波信号環境に露出される恐れがあった。
【０００６】
この理由から、このような問題点を発生せずに、無線通信システムのカバーレッジ拡張に寄与でき、広い周波数帯域において動作し得るアンテナの開発が望まれている。
【０００７】
本発明は、上述した技術的なニーズに応えるために案出されたものであり、上記の問題点を解消することはもとより、この技術分野において通常の知識を有する者が容易に開発し得ない術を付加して発明された。
【発明の概要】
【発明が解決しようとする課題】
【０００８】
本発明の一実施形態による増強アンテナは、電波環境がよくない自由空間上の無線信号を同時に送受信して無線通信システムのカバーレッジを拡張させることを解決課題とする。
【０００９】
また、本発明の一実施形態による増強アンテナは、端末を多重電波信号環境に露出させずに電波環境を改善することを解決課題とする。
【００１０】
さらに、本発明の一実施形態による増強アンテナは、中継器と超小型基地局の拡張なしに低コストにより電波環境を改善することを解決課題とする。
【００１１】
さらに、本発明の一実施形態による増強アンテナは、マルチカップリング誘導を通じて広い周波数帯域幅を有することを解決課題とする。
【００１２】
さらに、本発明の一実施形態による増強アンテナは、電波環境を改善するためのアンテナパターンを平面状に形成して、シート状やステッカ状に様々な製品に適用することを解決課題とする。
【００１３】
加えて、本発明の一実施形態による増強アンテナは、電波環境を改善するためのアンテナパターンを金属板に打ち抜いて形成して、シート状、ステッカ状または金属板材状に製作して様々な製品の表面に適用することを解決課題とする。
【課題を解決するための手段】
【００１４】
上述した課題を解決するための本発明の一実施形態による増強アンテナは、共振周波数の大きさの順に従って基板の上に順次に形成され、正の信号成分として動作する複数の放射スロットと、前記正の信号成分として動作する複数の放射スロットと同じ基板の上にスロットダイポールアンテナ状に形成され、共振周波数の大きさの順に従って順次に形成され、負の信号成分として動作する複数の放射スロットと、を備えることを特徴とする。
【００１５】
また、本発明の一実施形態による増強アンテナにおいて、前記正の信号成分として動作する複数の放射スロットは、所定の間隔を隔てて形成されて電磁気的に接続されて、隣り合う放射スロットの間にマルチカップリング領域を形成し、前記負の信号成分として動作する複数の放射スロットは、所定の間隔を隔てて形成されて電磁気的に接続されて、隣り合う放射スロットの間にマルチカップリング領域を形成することを特徴とする。
【００１６】
さらに、本発明の一実施形態による増強アンテナにおいて、前記正の信号成分として動作する複数の放射スロットと前記負の信号成分として動作する複数の放射スロットが、給電部を基準として一直線上に形成されることを特徴とする。
【００１７】
さらに、本発明の一実施形態による増強アンテナにおいて、前記正の信号成分として動作する複数の放射スロットが、正の信号成分として動作する第１の放射スロットと、前記第１の放射スロットから所定の間隔を隔てて形成され、前記第１の放射スロットの共振周波数よりも高い共振周波数を有する第３の放射スロットと、前記第１の放射スロットから前記第３の放射スロットが形成される方向に前記第３の放射スロットから所定の間隔を隔てて形成され、前記第３の放射スロットの共振周波数よりも高い共振周波数を有する第５の放射スロットと、前記第３の放射スロットから前記第５の放射スロットが形成される方向に前記第５の放射スロットから所定の間隔を隔てて形成され、前記第５の放射スロットの共振周波数よりも高い共振周波数を有する第７の放射スロットと、前記第５の放射スロットから前記第７の放射スロットが形成される方向に前記第７の放射スロットから所定の間隔を隔てて形成され、前記第７の放射スロットの共振周波数よりも高い共振周波数を有する第９の放射スロットと、を備えることを特徴とする。
【００１８】
さらに、本発明の一実施形態による増強アンテナにおいて、前記負の信号成分として動作する複数の放射スロットが、負の信号成分として動作する第２の放射スロットと、前記第２の放射スロットから所定の間隔を隔てて形成され、前記第２の放射スロットの共振周波数よりも高い共振周波数を有する第４の放射スロットと、前記第２の放射スロットから前記第４の放射スロットが形成される方向に前記第４の放射スロットから所定の間隔を隔てて形成され、前記第４の放射スロットの共振周波数よりも高い共振周波数を有する第６の放射スロットと、前記第４の放射スロットから前記第６の放射スロットが形成される方向に前記第６の放射スロットから所定の間隔を隔てて形成され、前記第６の放射スロットの共振周波数よりも高い共振周波数を有する第８の放射スロットと、前記第６の放射スロットから前記第８の放射スロットが形成される方向に前記第８の放射スロットから所定の間隔を隔てて形成され、前記第８の放射スロットの共振周波数よりも高い共振周波数を有する第１０の放射スロットと、を備えることを特徴とする。
【００１９】
さらに、本発明の一実施形態による増強アンテナは、前記正の信号成分として動作する複数の放射スロットと前記負の信号成分として動作する複数の放射スロットとが給電部を基準としてＶ字状に形成されて放射スロットパターン１つを形成し、このようにして形成された２つの放射スロットパターンは、給電部の一方の先端が互いに接続された状態でアンテナパターンを形成し、前記２つの放射スロットパターンは互いに対称をなすことを特徴とする。
【００２０】
さらに、本発明の一実施形態による増強アンテナにおいて、前記給電部の接続が、インピーダンス整合が取られて電磁気的に行われることを特徴とする。
【００２１】
さらに、本発明の一実施形態による増強アンテナにおいて、前記２つの放射スロットパターンが、第１の放射スロットパターン及び第２の放射スロットパターンを備え、前記第１の放射スロットパターンの正の信号成分側の給電部と前記第２の放射スロットパターンの負の信号成分側の給電部とがインピーダンス整合が取られて電磁気的に接続され、前記第１の放射スロットパターンの負の信号成分側の給電部と前記第２の放射スロットパターンの正の信号成分側の給電部とがインピーダンス整合が取られて電磁気的に行われることを特徴とする。
【００２２】
さらに、本発明の一実施形態による増強アンテナは、前記正の信号成分として動作する複数の放射スロットと前記負の信号成分として動作する複数の放射スロットとが給電部を基準としてＶ字状に形成されて放射スロットパターン１つを形成し、このようにして形成された４つの放射スロットパターンは、それぞれの給電部の一方の先端が互いに接続された状態でアンテナパターンを形成し、前記４つの放射スロットパターンはそれぞれ向かい合う放射スロットパターンと対称をなすことを特徴とする。
【００２３】
さらに、本発明の一実施形態による増強アンテナにおいて、前記給電部の接続が、インピーダンス整合が取られて電磁気的に行われることを特徴とする。
【００２４】
さらに、本発明の一実施形態による増強アンテナにおいて、前記４つの放射スロットパターンが、第１の放射スロットパターン、第２の放射スロットパターン、第３の放射スロットパターン及び第４の放射スロットパターンを備え、前記第１の放射スロットパターンの正の信号成分側の給電部と前記第４の放射スロットパターンの負の信号成分側の給電部とがインピーダンス整合が取られて電磁気的に接続され、前記第２の放射スロットパターンの正の信号成分側の給電部と前記第１の放射スロットパターンの負の信号成分側の給電部とがインピーダンス整合が取られて電磁気的に接続され、前記第３の放射スロットパターンの正の信号成分側の給電部と前記第２の放射スロットパターンの負の信号成分側の給電部とがインピーダンス整合が取られて電磁気的に接続され、前記第４の放射スロットパターンの正の信号成分側の給電部と前記第３の放射スロットパターンの負の信号成分側の給電部とがインピーダンス整合が取られて電磁気的に接続される。
【００２５】
さらに、本発明の一実施形態による増強アンテナにおいて、前記正の信号成分として動作する複数の放射スロット及び前記負の信号成分として動作する複数の放射スロットが、誘電層の一方の面に配置される基板の上に形成されることを特徴とする。
【００２６】
さらに、本発明の一実施形態による増強アンテナにおいて、前記正の信号成分として動作する複数の放射スロット及び前記負の信号成分として動作する複数の放射スロットが形成される基板が、金属層であることを特徴とする。
【００２７】
さらに、本発明の一実施形態による増強アンテナにおいて、前記  金属層が電子製品の表面に形成された金属板材であることを特徴とする。
【発明の効果】
【００２８】
本発明の一実施形態による増強アンテナは、電波環境がよくない自由空間上の無線信号を同時に送受信して無線通信システムのカバーレッジの拡張に寄与できる。
【００２９】
また、本発明の一実施形態による増強アンテナは、端末を多重電波信号環境に露出させずに電波環境を改善できる。
【００３０】
さらに、本発明の一実施形態による増強アンテナは、中継器と超小型基地局の拡張に依存せずに、低コストにより電波環境を改善できる。
【００３１】
さらに、本発明の一実施形態による増強アンテナは、マルチカップリング誘導を通じて広い周波数帯域幅において電波を再放射する。このため、広い周波数帯域において電波環境を改善できる。
【００３２】
さらに、本発明の一実施形態による増強アンテナは、電波環境を改善するためのアンテナパターンを誘導層の上に平面状に形成できる。このため、シート状やステッカ状に製作でき、様々な製品の表面に適用されて電波環境を改善できる。
【００３３】
加えて、本発明の一実施形態による増強アンテナは、電波環境を改善するためのアンテナパターンを金属板に打ち抜いて形成できる。このため、シート状、ステッカ状または金属板材状に製作でき、様々な製品の表面に適用されて電波環境を改善できる。
【図面の簡単な説明】
【００３４】
【図１】本発明の一実施形態による増強アンテナが有する一字状放射スロットパターンを示す構成図である。
【図２】一字状単一スロットダイポールアンテナの反射係数特性を示すグラフである。
【図３】本発明の一実施形態による増強アンテナが有する一字状放射スロットパターンの反射係数特性を示すグラフである。
【図４】本発明の一実施形態による増強アンテナが有するＶ字状放射スロットパターンを示す構成図である。
【図５】Ｖ字状単一スロットダイポールアンテナの反射係数特性を示すグラフである。
【図６】本発明の一実施形態による増強アンテナが有するＶ字状放射スロットパターンの反射係数特性を示すグラフである。
【図７】本発明の一実施形態による二重増強アンテナの構成を示す構成図である。
【図８】本発明の一実施形態による二重増強アンテナの反射係数と伝達係数の特性を示すグラフである。
【図９】本発明の一実施形態による二重増強アンテナの電波放射特性を示す図である。
【図１０】本発明の一実施形態による４重増強アンテナの構成を示す構成図である。
【図１１】本発明の一実施形態による４重増強アンテナの反射係数の特性を示すグラフである。
【図１２】本発明の一実施形態による４重増強アンテナの反射係数の特性を示すグラフである。
【図１３】本発明の一実施形態による４重増強アンテナの反射係数の特性を示すグラフである。
【図１４】本発明の一実施形態による４重増強アンテナの伝達係数の特性を示すグラフである。
【図１５】本発明の一実施形態による４重増強アンテナの伝達係数の特性を示すグラフである。
【図１６】本発明の一実施形態による４重増強アンテナの電波放射特性を示す図である。
【図１７】本発明の一実施形態による４重増強アンテナが誘電層に設けられた状態を示す図である。
【発明を実施するための形態】
【００３５】
以下、添付図面に基づき、本発明による増強アンテナについて説明する。説明する実施形態は、本発明の技術思想を当業者に容易に理解できるように提供されるものであり、これらによって本発明が限定されることはない。なお、添付図面に示されている事項は、本発明の実施形態を容易に説明するために図式化されたものであり、実際に実現される形態とは異なる場合がある。
【００３６】
以下、図１乃至図３に基づき、本発明の一実施形態による増強アンテナが有し得る一字状放射スロットパターンについて詳細に説明する。
【００３７】
図１の下半部を参照すると、本発明の一実施形態による増強アンテナが有し得る一字状放射スロットパターン１１０は、共振周波数の大きさの順に従って基板の上に順次に形成され、正の信号成分として動作する複数の放射スロット１１３、１１５、１１７、１１９、１２１と、前記正の信号成分として動作する複数の放射スロットと同じ基板の上にスロットダイポールアンテナ状に形成され、共振周波数の大きさの順に従って順次に形成され、負の信号成分として動作する複数の放射スロット１１４、１１６、１１８、１２０、１２２と、を備えている。
【００３８】
前記正の信号成分として動作する複数の放射スロット１１３、１１５、１１７、１１９、１２１は、共振周波数の大きさの順に従って基板の上に順次に形成され、前記負の信号成分として動作する複数の放射スロット１１４、１１６、１１８、１２０、１２２とスロットダイポールアンテナ状に一直線上に形成され、正の信号成分として動作する構成である。
【００３９】
これらの前記正の信号成分として動作する複数の放射スロット１１３、１１５、１１７、１１９、１２１は、所定の間隔を隔てて形成され、給電部１１１と互いに電磁気的に接続されるが、これにより、隣り合う放射スロットの間にマルチカップリング領域１２３、１２４、１２５、１２６が形成される。
【００４０】
さらに、これらの前記正の信号成分として動作する複数の放射スロット１１３、１１５、１１７、１１９、１２１は、共振周波数が順次に高くなる放射スロットを備えるが、具体的に、正の信号成分として動作する第１の放射スロット１１３と、前記第１の放射スロットから所定の間隔を隔てて形成され、前記第１の放射スロットの共振周波数よりも高い共振周波数を有する第３の放射スロット１１５と、前記第１の放射スロットから前記第３の放射スロットが形成される方向に前記第３の放射スロットから所定の間隔を隔てて形成され、前記第３の放射スロットの共振周波数よりも高い共振周波数を有する第５の放射スロット１１７と、前記第３の放射スロットから前記第５の放射スロットが形成される方向に前記第５の放射スロットから所定の間隔を隔てて形成され、前記第５の放射スロットの共振周波数よりも高い共振周波数を有する第７の放射スロット１１９と、前記第５の放射スロットから前記第７の放射スロットが形成される方向に前記第７の放射スロットから所定の間隔を隔てて形成され、前記第７の放射スロットの共振周波数よりも高い共振周波数を有する第９の放射スロット１２１と、を備える。
【００４１】
前記負の信号成分として動作する複数の放射スロット１１４、１１６、１１８、１２０、１２２は、共振周波数の大きさの順に従って基板の上に順次に形成され、前記正の信号成分として動作する複数の放射スロット１１３、１１５、１１７、１１９、１２１とスロットダイポールアンテナ状に一直線上に形成され、負の信号成分として動作する構成である。
【００４２】
これらの前記負の信号成分として動作する複数の放射スロット１１４、１１６、１１８、１２０、１２２は、所定の間隔を隔てて形成され、給電部１１２と互いに電磁気的に接続されるが、これにより、隣り合う放射スロットの間にマルチカップリング領域１２７、１２８、１２９、１３０が形成される。
【００４３】
さらに、これらの前記負の信号成分として動作する複数の放射スロット１１４、１１６、１１８、１２０、１２２は、共振周波数が順次に高くなる放射スロットを備えるが、具体的に、負の信号成分として動作する第２の放射スロット１１４と、前記第２の放射スロットから所定の間隔を隔てて形成され、前記第２の放射スロットの共振周波数よりも高い共振周波数を有する第４の放射スロット１１６と、前記第２の放射スロットから前記第４の放射スロットが形成される方向に前記第４の放射スロットから所定の間隔を隔てて形成され、前記第４の放射スロットの共振周波数よりも高い共振周波数を有する第６の放射スロット１１８と、前記第４の放射スロットから前記第６の放射スロットが形成される方向に前記第６の放射スロットから所定の間隔を隔てて形成され、前記第６の放射スロットの共振周波数よりも高い共振周波数を有する第８の放射スロット１２０と、前記第６の放射スロットから前記第８の放射スロットが形成される方向に前記第８の放射スロットから所定の間隔を隔てて形成され、前記第８の放射スロットの共振周波数よりも高い共振周波数を有する第１０の放射スロット１２２と、を備える。
【００４４】
一方、図１の実施形態においては、前記正の信号成分として動作する複数の放射スロットと負の信号成分として動作する複数の放射スロットがそれぞれ５つずつ形成されているが、これらの放射スロットの数は、実施形態のように５つに限定されるものではなく、２以上の複数の放射スロットを用いて様々に構成できる。
【００４５】
図１に基づき、本発明の一実施形態による増強アンテナが有し得る一字状放射スロットパターン１１０についてより詳細に説明すれば、先ず、正の信号成分として動作する第１の放射スロット１１３と負の信号成分として動作する第２の放射スロット１１４が給電部１１１、１１２を基準として一直線上に形成される。ここで、第１の放射スロット１１３の共振周波数よりも高い共振周波数を有する第３の放射スロット１１５が第１の放射スロット１１３の上部に所定の間隔を隔てて形成され、前記第１の放射スロットと電磁気的に接続されて近接カップリング領域１２３を形成し、第２の放射スロット１１４の共振周波数よりも高い共振周波数を有する第４の放射スロット１１６が第２の放射スロット１１４の上部に所定の間隔を隔てて形成され、前記第２の放射スロットと電磁気的に接続されて近接カップリング領域１２７を形成する。
【００４６】
さらに、第３の放射スロット１１５の共振周波数よりも高い共振周波数を有する第５の放射スロット１１７が第３の放射スロット１１５の上部に所定の間隔を隔てて形成され、前記第３の放射スロットと電磁気的に接続されて近接カップリング領域１２４を形成し、第４の放射スロット１１６の共振周波数よりも高い共振周波数を有する第６の放射スロット１１８が第４の放射スロット１１６の上部に所定の間隔を隔てて形成され、前記第４の放射スロットと電磁気的に接続されて近接カップリング領域１２８を形成する。
【００４７】
さらに、第５の放射スロット１１７の共振周波数よりも高い共振周波数を有する第７の放射スロット１１９が第５の放射スロット１１７の上部に所定の間隔を隔てて形成され、前記第５の放射スロットと電磁気的に接続されて近接カップリング領域１２５を形成し、第６の放射スロット１１８の共振周波数よりも高い共振周波数を有する第８の放射スロット１２０が第６の放射スロット１１８の上部に所定の間隔を隔てて形成され、前記第６の放射スロットと電磁気的に接続されて近接カップリング領域１２９を形成する。
【００４８】
そして、第７の放射スロット１１９の共振周波数よりも高い共振周波数を有する第９の放射スロット１２１が第７の放射スロット１１９の上部に所定の間隔を隔てて形成され、前記第７の放射スロットと電磁気的に接続されて近接カップリング領域１２６を形成し、第８の放射スロット１２０の共振周波数よりも高い共振周波数を有する第１０の放射スロット１２２が第８の放射スロット１２０の上部に所定の間隔を隔てて形成され、前記第８の放射スロットと電磁気的に接続されて近接カップリング領域１３０を形成する。
【００４９】
このような本発明の一実施形態による増強アンテナが有し得る一字状放射スロットパターン１１０の特性について述べると、図３に示すように、放射スロットパターン１１０の−１０ｄＢ以下の反射係数Ｓ１１は、２．２ＧＨｚから２．６ＧＨｚまで４００ＭＨｚの帯域幅に至る。このような帯域幅の特性は、図２に示す単一スロットダイポールアンテナパターン１００（図１の上半部を参照）の帯域幅に比べて２倍改善されたものであり、放射スロットパターン１１０を構成する放射スロットが形成したマルチカップリングによってこのような帯域幅の改善効果が現れる。
【００５０】
以下、図４乃至図６に基づき、本発明の一実施形態による増強アンテナが有し得るＶ字状放射スロットパターンについて詳細に説明する。
【００５１】
図４の下半部を参照すると、本発明の一実施形態による増強アンテナが有し得るＶ字状放射スロットパターン２１０は、共振周波数の大きさの順に従って基板の上に順次に形成され、正の信号成分として動作する複数の放射スロット２１３、２１５、２１７、２１９、２２１と、前記正の信号成分として動作する複数の放射スロットと同じ基板の上にスロットダイポールアンテナ状に形成され、共振周波数の大きさの順に従って順次に形成され、負の信号成分として動作する複数の放射スロット２１４、２１６、２１８、２２０、２２２と、を備える。
【００５２】
ここで、前記Ｖ字状は種々に形成可能であるが、夾角が直角の状態に形成されるＶ字状であることが好ましい。さらに厳密に言えば，前記放射スロットはそれ自体において完璧な夾角が直角なＶ字状を形成することはなく、前記放射スロットの長手方向の延長線の上において夾角が直角なＶ字状を形成してもよい。
【００５３】
前記正の信号成分として動作する複数の放射スロット２１３、２１５、２１７、２１９、２２１は、共振周波数の大きさの順に従って基板の上に順次に形成され、前記負の信号成分として動作する複数の放射スロット２１４、２１６、２１８、２２０、２２２とスロットダイポールアンテナ状にＶ字状を呈して形成され、正の信号成分として動作する構成である。
【００５４】
これらの前記正の信号成分として動作する複数の放射スロット２１３、２１５、２１７、２１９、２２１は、所定の間隔を隔てて形成され、給電部２１１と互いに電磁気的に接続されるが、これにより、隣り合う放射スロットの間にマルチカップリング領域２２３、２２４、２２５、２２６が形成される。
【００５５】
さらに、これらの前記正の信号成分として動作する複数の放射スロット２１３、２１５、２１７、２１９、２２１は、共振周波数が順次に高くなる放射スロットを備えるが、具体的に、正の信号成分として動作する第１の放射スロット２１３と、前記第１の放射スロットから所定の間隔を隔てて形成され、前記第１の放射スロットの共振周波数よりも高い共振周波数を有する第３の放射スロット２１５と、前記第１の放射スロットから前記第３の放射スロットが形成される方向に前記第３の放射スロットから所定の間隔を隔てて形成され、前記第３の放射スロットの共振周波数よりも高い共振周波数を有する第５の放射スロット２１７と、前記第３の放射スロットから前記第５の放射スロットが形成される方向に前記第５の放射スロットから所定の間隔を隔てて形成され、前記第５の放射スロットの共振周波数よりも高い共振周波数を有する第７の放射スロット２１９と、前記第５の放射スロットから前記第７の放射スロットが形成される方向に前記第７の放射スロットから所定の間隔を隔てて形成され、前記第７の放射スロットの共振周波数よりも高い共振周波数を有する第９の放射スロット２２１と、を備える。
【００５６】
前記負の信号成分として動作する複数の放射スロット２１４、２１６、２１８、２２０、２２２は、共振周波数の大きさの順に従って基板の上に順次に形成され、前記正の信号成分として動作する複数の放射スロット２１３、２１５、２１７、２１９、２２１とスロットダイポールアンテナ状にＶ字状を呈して形成され、負の信号成分として動作する構成である。
【００５７】
これらの前記負の信号成分として動作する複数の放射スロット２１４、２１６、２１８、２２０、２２２は、所定の間隔を隔てて形成され、給電部２１２と互いに電磁気的に接続されるが、これにより、隣り合う放射スロットの間にマルチカップリング領域２２７、２２８、２２９、２３０が形成される。
【００５８】
さらに、これらの前記負の信号成分として動作する複数の放射スロット２１４、２１６、２１８、２２０、２２２は、共振周波数が順次に高くなる放射スロットを備えるが、具体的に、負の信号成分として動作する第２の放射スロット２１４と、前記第２の放射スロットから所定の間隔を隔てて形成され、前記第２の放射スロットの共振周波数よりも高い共振周波数を有する第４の放射スロット２１６と、前記第２の放射スロットから前記第４の放射スロットが形成される方向に前記第４の放射スロットから所定の間隔を隔てて形成され、前記第４の放射スロットの共振周波数よりも高い共振周波数を有する第６の放射スロット２１８と、前記第４の放射スロットから前記第６の放射スロットが形成される方向に前記第６の放射スロットから所定の間隔を隔てて形成され、前記第６の放射スロットの共振周波数よりも高い共振周波数を有する第８の放射スロット２２０と、前記第６の放射スロットから前記第８の放射スロットが形成される方向に前記第８の放射スロットから所定の間隔を隔てて形成され、前記第８の放射スロットの共振周波数よりも高い共振周波数を有する第１０の放射スロット２２２と、を備える。
【００５９】
一方、図４の実施形態においては、前記正の信号成分として動作する複数の放射スロットと負の信号成分として動作する複数の放射スロットがそれぞれ５つずつ形成されているが、これらの放射スロットの数は実施形態のように５つに限定されるものではなく、２以上の複数の放射スロットを用いて様々に構成できる。
【００６０】
図４に基づき、本発明の一実施形態による増強アンテナが有し得るＶ字状放射スロットパターン２１０についてより詳細に述べると、先ず、正の信号成分として動作する第１の放射スロット２１３と負の信号成分として動作する第２の放射スロット２１４が給電部２１１、２１２を基準として夾角が直角に形成される。ここで、第１の放射スロット２１３の共振周波数よりも高い共振周波数を有する第３の放射スロット２１５が第１の放射スロット２１３の上部に所定の間隔を隔てて形成され、前記第１の放射スロットと電磁気的に接続されて近接カップリング領域２２３を形成し、第２の放射スロット２１４の共振周波数よりも高い共振周波数を有する第４の放射スロット２１６が第２の放射スロット２１４の上部に所定の間隔を隔てて形成され、前記第２の放射スロットと電磁気的に接続されて近接カップリング領域２２７を形成する。
【００６１】
また、第３の放射スロット２１５の共振周波数よりも高い共振周波数を有する第５の放射スロット２１７が第３の放射スロット２１５の上部に所定の間隔を隔てて形成され、前記第３の放射スロットと電磁気的に接続されて近接カップリング領域２２４を形成し、第４の放射スロット２１６の共振周波数よりも高い共振周波数を有する第６の放射スロット２１８が第４の放射スロット２１６の上部に所定の間隔を隔てて形成され、前記第４の放射スロットと電磁気的に接続されて近接カップリング領域２２８を形成する。
【００６２】
さらに、第５の放射スロット２１７の共振周波数よりも高い共振周波数を有する第７の放射スロット２１９が第５の放射スロット２１７の上部に所定の間隔を隔てて形成され、前記第５の放射スロットと電磁気的に接続されて近接カップリング領域２２５を形成し、第６の放射スロット２１８の共振周波数よりも高い共振周波数を有する第８の放射スロット２２０が第６の放射スロット２１８の上部に所定の間隔を隔てて形成され、前記第６の放射スロットと電磁気的に接続されて近接カップリング領域２２９を形成する。
【００６３】
そして、第７の放射スロット２１９の共振周波数よりも高い共振周波数を有する第９の放射スロット２２１が第７の放射スロット２１８の上部に所定の間隔を隔てて形成され、前記第７の放射スロットと電磁気的に接続されて近接カップリング領域２２６を形成し、第８の放射スロット２２０の共振周波数よりも高い共振周波数を有する第１０の放射スロット２２２が第８の放射スロット２２０の上部に所定の間隔を隔てて形成され、前記第８の放射スロットと電磁気的に接続されて近接カップリング領域２３０を形成する。
【００６４】
このような本発明の一実施形態による増強アンテナが有し得るＶ字状放射スロットパターン２１０の特性について述べると、図６に示すように、放射スロットパターン２１０の−１０ｄＢ以下の反射係数Ｓ１１は、２．２ＧＨｚから２．６ＧＨｚまで４００ＭＨｚの帯域幅に至る。このような帯域幅の特性は、図５に示すＶ字状単一スロットダイポールアンテナパターン２００（図４の上半部を参照）の帯域幅に比べて２倍改善されたものであり、放射スロットパターン２１０を構成する放射スロットが形成したマルチカップリングによってこのような帯域幅の改善効果が現れる。
【００６５】
以下、図７乃至図９に基づき、本発明の一実施形態による二重増強アンテナについて詳細に説明する。
【００６６】
図７の下半部を参照すると、本発明の一実施形態による二重増強アンテナ３１０は、それぞれの給電部の一方の先端が互いに接続された状態で対称状に形成される２つの放射スロットパターン３１１、３１２を備える。
【００６７】
ここで、２つの放射スロットパターン３１１、３１２のそれぞれは、給電部を基準としてＶ字状に形成された正の信号成分として動作する複数の放射スロット及び負の信号成分として動作する複数の放射スロットを備えており、これらの２つの放射スロットパターン３１１、３１２が給電部を基準として向かい合いながら対称状に形成されて電磁気的に接続されて前記二重増強アンテナが形成される。また、前記Ｖ字状としては様々な形状が採用可能であるが、夾角が直角なＶ字状であることが好ましい（厳密に言えば、前記放射スロットはそれ自体において完璧な夾角が直角なＶ字状を形成することはなく、前記放射スロットの長手方向の延長線上において夾角が直角なＶ字状を形成してもよい）。
【００６８】
一方、２つの放射スロットパターン３１１、３１２が対称状に形成された後の電磁気的な接続は、給電部の電磁気的な接続によって行われるが、このような前記給電部の接続は、インピーダンス整合が取られながら行われることが好ましい。具体的に、第１の放射スロットパターン３１１の正の信号成分側の給電部と第２の放射スロットパターン３１２の負の信号成分側の給電部とがインピーダンス整合が取られて電磁気的に接続され（３３３）、第１の放射スロットパターン３１１の負の信号成分側の給電部と第２の放射スロットパターン３１２の正の信号成分側の給電部とがインピーダンス整合が取られて電磁気的に接続（３３４）されることが好ましい。
【００６９】
さらに、これらの２つの放射スロットパターン３１１、３１２は、誘電層の一方の面に配置される基板の上に形成されることが好ましいが、ここで、前記誘電層は、好ましくは、ＰＣＢにより構成されてもよい。
【００７０】
さらに、放射スロットパターン３１１、３１２が形成される基板は様々な材質により形成されてもよいが、ここで、前記基板は、好ましくは、金属、ポリシリコン（Ｐｏｌｙｓｉｌｉｃｏｎ）、セラミック（Ｃｅｒａｍｉｃ）、カーボンファイバ（Ｃａｒｂｏｎ  ｆｉｂｅｒ）、伝導性インキ（Ｃｏｎｄｕｃｔｉｖｅ  ｉｎｋ）、伝導性ペースト（Ｃｏｎｄｕｃｔｉｖｅ  ｐａｓｔｅ）、酸化インジウムスズ（ＩＴＯ：Ｉｎｄｉｕｍ  Ｔｉｎ  Ｏｘｉｄｅ）、カーボンナノチューブ（ＣＮＴ：Ｃａｒｂｏｎ  Ｎａｎｏ  Ｔｕｂｅ）または伝導性高分子などによって形成されてもよい。
【００７１】
放射スロットパターン３１１、３１２が金属層に形成される場合について述べると、前記金属層は、好ましくは、金属板材により形成されてもよいが、このような前記金属板材に放射スロットパターン３１１、３１２を形成して様々な製品の表面に適用できる。このため、金属製の電子製品の表面に放射スロットパターン３１１、３１２を適用して製品の周りの電波環境を改善することが可能になる。
【００７２】
以下、図７の下半部に基づき、本発明の一実施形態による二重増強アンテナについてより詳細に説明する。前記二重増強アンテナは給電部３３３、３３４を基準として対称状に形成され、互いにインピーダンス整合が取られた状態で電波を再放射する２つの放射スロットパターン３１１、３１２を備える。
【００７３】
２つの放射スロットパターン３１１、３１２のうち、先ず、第１の放射スロットパターン３１１について述べると、第１の放射スロットパターン３１１は、正の信号成分として動作する第１−１の放射スロット３１３と、第１−１の放射スロット３１３と給電部を基準として夾角が直角に形成され、負の信号成分として動作する第１−２の放射スロット３１８と、を備える。また、前記第１−１の放射スロット３１３の共振周波数よりも順次に高くなる共振周波数を有する多数の放射スロット３１４、３１５、３１６、３１７が前記第１−１の放射スロット３１３の上部に所定の間隔を隔てて順次に形成されて電磁気的に接続され、第１−２の放射スロット３１８の共振周波数よりも順次に高くなる共振周波数を有する多数の放射スロット３１９、３２０、３２１、３２２が前記第１−２の放射スロット３１８の上部に所定の間隔を隔てて順次に形成されて電磁気的に接続される。
【００７４】
次いで、第２の放射スロットパターン３１２は、正の信号成分として動作する第２−１の放射スロット３２８と、第２−１の放射スロット３２８と給電部を基準として夾角が直角に形成され、負の信号成分として動作する第２−２の放射スロット３２３と、を備える。また、前記第２−１の放射スロット３２８の共振周波数よりも順次に高くなる共振周波数を有する多数の放射スロット３２９、３３０、３３１、３３２が前記第２−１の放射スロット３２８の上部に所定の間隔を隔てて順次に形成されて電磁気的に接続され、前記第２−２の放射スロット３２３の共振周波数よりも順次に高くなる共振周波数を有する多数の放射スロット３２４、３２５、３２６、３２７が前記第２−２の放射スロット３２３の上部に所定の間隔を隔てて順次に形成されて電磁気的に接続される。
【００７５】
最後に、第１の放射スロットパターン３１１と第２の放射スロットパターン３１２の形成について述べると、２つの放射スロットパターン３１１、３１２は第１の放射スロットパターン３１１の給電部３３３、３３４の一方の先端と第２の放射スロットパターン３１２の給電部３３３、３３４の一方の先端が互いに対称状に形成され、互いにインピーダンス整合が取られながら電磁気的に接続される。
【００７６】
このような二重増強アンテナは、広い周波数帯域において電波を受信して再放射でき、このような特性によって、無線通信システムの電波環境を改善し、且つ、カバーレッジを拡張するのに使用可能である。
【００７７】
具体的に、前記二重増強アンテナが有する第１の放射スロットパターン３１１に受信された電波信号がインピーダンス整合によって最大の効率により第２の放射スロットパターン３１２に伝達されて放射が起こり、同時に、第２の放射スロットパターン３１２に受信された電波信号もインピーダンス整合によって最大の効率により第１の放射スロットパターン３１１に伝達されて放射が起こる。したがって、無線信号を受信してインピーダンス整合によって最大の効率により再放射して増強アンテナの周りの電波の増強に寄与することになる。
【００７８】
前記二重増強アンテナの動作と関連して、図８を参照すると、二重増強アンテナ３１０における第１の放射スロットパターン３１１と第２の放射スロットパターン３１２を基準として給電部３３３、３３４からそれぞれの相手を眺めた反射係数Ｓ１１と伝達係数Ｓ２１を確認でき、図９を参照すると、二重増強アンテナ３１０が放射する電波の形状を確認できる。
【００７９】
一方、上述したように、本発明の一実施形態による二重増強アンテナ３１０は、複数の放射スロットによってマルチカップリング領域を形成するため、図７の上半部に示すアンテナパターン３００よりも広い帯域幅において無線信号を送受信して電波環境を改善できる。
【００８０】
以下、図１０乃至図１７に基づき、本発明の一実施形態による４重増強アンテナについて詳細に説明する。
【００８１】
図１０及び図１７を参照すると、本発明の一実施形態による４重増強アンテナ４１０は、それぞれの給電部の一方の先端が互いに接続された状態で対称状に形成される４つの放射スロットパターン４２１、４２２、４２３、４２４を備える。
【００８２】
ここで、４つの放射スロットパターン４２１、４２２、４２３、４２４のそれぞれは、給電部を基準としてＶ字状に形成された正の信号成分として動作する複数の放射スロット及び負の信号成分として動作する複数の放射スロットを備え、これらの４つの放射スロットパターン４２１、４２２、４２３、４２４が給電部を基準として対称状に形成されて電磁気的に接続されて前記二重増強アンテナが形成される。なお、前記Ｖ字状としては様々な形状が採用可能であるが、夾角が直角なＶ字状であることが好ましい（厳密に言えば、前記放射スロットはそれ自体において完璧な夾角が直角なＶ字状を形成することはなく、前記放射スロットの長手方向の延長線上において夾角が直角なＶ字状を形成してもよい）。
【００８３】
４つの放射スロットパターン４２１、４２２、４２３、４２４の対称的な形成について具体的に述べると、４つの放射スロットパターン４２１、４２２、４２３、４２４は、Ｖ字状の頂点が揃った状態で対称状に形成されるが、この場合、一つの放射スロットパターンは向かい合う放射スロットパターンと対称をなし、両脇に形成される放射スロットパターンとも対称をなす。このため、前記Ｖ字状放射スロットパターンの夾角が直角の場合には、このような対称的な形成によって、前記４つの放射スロットパターンの全体の形状が図１０に示す十字状またはＸ字状になり得る。
【００８４】
一方、４つの放射スロットパターン４２１、４２２、４２３、４２４が対称状に形成された後の電磁気的な接続は、給電部の電磁気的な接続によって行われるが、このような前記給電部の接続は、インピーダンス整合が取られながら行われることが好ましい。具体的に、第１の放射スロットパターン４２１の正の信号成分側の給電部と第４の放射スロットパターン４２４の負の信号成分側の給電部とがインピーダンス整合が取られて電磁気的に接続（４７４）され、第２の放射スロットパターン４２２の正の信号成分側の給電部と第１の放射スロットパターン４２１の負の信号成分側の給電部とがインピーダンス整合が取られて電磁気的に接続（４７１）され、第３の放射スロットパターン４２３の正の信号成分側の給電部と第２の放射スロットパターン４２２の負の信号成分側の給電部とがインピーダンス整合が取られて電磁気的に接続（４７２）され、第４の放射スロットパターン４２４の正の信号成分側の給電部と第３の放射スロットパターン４２３の負の信号成分側の給電部とがインピーダンス整合が取られて電磁気的に接続（４７３）されることが好ましい。
【００８５】
さらに、これらの４つの放射スロットパターン４２１、４２２、４２３、４２４は誘電層の一方の面に配置される基板の上に形成されることが好ましいが、ここで、前記誘電層は、好ましくは、ＰＣＢにより構成される。
さらに、放射スロットパターン４２１、４２２、４２３、４２４が形成される基板は様々な材質により形成されてもよいが、ここで、前記基板は、好ましくは、金属、ポリシリコン（Ｐｏｌｙｓｉｌｉｃｏｎ）、セラミック（Ｃｅｒａｍｉｃ）、カーボンファイバ（Ｃａｒｂｏｎ  ｆｉｂｅｒ）、伝導性インキ（Ｃｏｎｄｕｃｔｉｖｅ  ｉｎｋ）、伝導性ペースト（Ｃｏｎｄｕｃｔｉｖｅ  ｐａｓｔｅ）、酸化インジウムスズ（ＩＴＯ：Ｉｎｄｉｕｍ  Ｔｉｎ  Ｏｘｉｄｅ）、カーボンナノチューブ（ＣＮＴ：Ｃａｒｂｏｎ  Ｎａｎｏ  Ｔｕｂｅ）または伝導性高分子などによって形成される。
【００８６】
放射スロットパターン４２１、４２２、４２３、４２４が金属層に形成される場合について述べると、前記金属層は、好ましくは、金属板材により形成されてもよいが、このような前記金属板材に放射スロットパターン４２１、４２２、４２３、４２４を形成して様々な製品の表面に適用できる。このため、金属製の電子製品の表面に放射スロットパターン４２１、４２２、４２３、４２４を適用して製品の周りの電波環境を改善することが可能になる。
【００８７】
以下、図１０に基づき、本発明の一実施形態による４重増強アンテナについてより詳細に説明する。前記４重増強アンテナは、給電部４７１、４７２、４７３、４７４を基準として対称状に形成され、互いにインピーダンス整合が取られた状態で電波を再放射する４つの放射スロットパターン４２１、４２２、４２３、４２４を備える。
【００８８】
４つの放射スロットパターン４２１、４２２、４２３、４２４のうち、先ず、第１の放射スロットパターン４２１について述べると、第１の放射スロットパターン４２１は、正の信号成分として動作する第１−１の放射スロット４６６と、第１−１の放射スロット４６６と給電部を基準として夾角が直角に形成され、負の信号成分として動作する第１−２の放射スロット４３０と、を備える。また、第１−１の放射スロット４６６の共振周波数よりも順次に高くなる共振周波数を有する多数の放射スロット４６７、４６８、４６９、４７０が第１−１の放射スロット４６６の上部に所定の間隔を隔てて順次に形成されて電磁気的に接続され、第１−２の放射スロット４３０の共振周波数よりも順次に高くなる共振周波数を有する多数の放射スロット４３１、４３２、４３３、４３４が第１−２の放射スロット４３０の上部に所定の間隔を隔てて順次に形成されて電磁気的に接続される。
【００８９】
次いで、第２の放射スロットパターン４２２は、正の信号成分として動作する第２−１の放射スロット４３５と、第２−１の放射スロット４３５と給電部を基準として夾角が直角に形成され、負の信号成分として動作する第２−２の放射スロット４４０と、を備える。また、第２−１の放射スロット４３５の共振周波数よりも順次に高くなる共振周波数を有する多数の放射スロット４３６、４３７、４３８、４３９が第２−１の放射スロット４３５の上部に所定の間隔を隔てて順次に形成されて電磁気的に接続され、第２−２の放射スロット４４０の共振周波数よりも順次に高くなる共振周波数を有する多数の放射スロット４４１、４４２、４４３、４４４が第２−２の放射スロット４４０の上部に所定の間隔を隔てて順次に形成されて電磁気的に接続される。
【００９０】
次いで、第３の放射スロットパターン４２３は、正の信号成分として動作する第３−１の放射スロット４４５と、第３−１の放射スロット４４５と給電部を基準として夾角が直角に形成され、負の信号成分として動作する第３−２の放射スロット４５０と、を備える。また、第３−１の放射スロット４４５の共振周波数よりも順次に高くなる共振周波数を有する多数の放射スロット４４６、４４７、４４８、４４９が第３−１の放射スロット４４５の上部に所定の間隔を隔てて順次に形成されて電磁気的に接続され、第３−２の放射スロット４５０の共振周波数よりも順次に高くなる共振周波数を有する多数の放射スロット４５１、４５２、４５３、４５４が第３−２の放射スロット４５０の上部に所定の間隔を隔てて順次に形成されて電磁気的に接続される。
【００９１】
次いで、第４の放射スロットパターン４２４は、正の信号成分として動作する第４−１の放射スロット４５６と、第４−１の放射スロット４５６と給電部を基準として夾角が直角に形成され、負の信号成分として動作する第４−２の放射スロット４６１と、を備える。また、第４−１の放射スロット４５６の共振周波数よりも順次に高くなる共振周波数を有する多数の放射スロット４５７、４５８、４５９、４６０が第４−１の放射スロット４５６の上部に所定の間隔を隔てて順次に形成されて電磁気的に接続され、第４−２の放射スロット４６１の共振周波数よりも順次に高くなる共振周波数を有する多数の放射スロット４６２、４６３、４６４、４６５が第４−２の放射スロット４６１の上部に所定の間隔を隔てて順次に形成されて電磁気的に接続される。
【００９２】
最後に、第１の放射スロットパターン４２１と、第２の放射スロットパターン４２２と、第３の放射スロットパターン４２３及び第４の放射スロットパターン４２４の形成について述べると、４つの放射スロットパターン４２１、４２２、４２３、４２４は、Ｖ字状の頂点が揃った状態で対称状に形成されるが、この場合、一つの放射スロットパターンは向かい合う放射スロットパターンと対称をなし、両脇に形成される放射スロットパターンとも対称をなす。例えば、第１の放射スロットパターン４２１について述べると、第１の放射スロットパターン４２１は給電部を基準として向かい合いながら形成される第３の放射スロットパターン４２３と対称をなし、両脇に形成される第２の放射スロットパターン４２２及び第４の放射スロットパターン４２４とも対称をなして形成される。このため、前記Ｖ字状放射スロットパターンの夾角が直角な場合には、このような対称的な形成によって、前記４つの放射スロットパターンの全体の形状が図１０に示す十字状またはＸ字状になり得る。
【００９３】
このような前記４重増強アンテナは、広い周波数帯域において電波を受信して再放射でき、このような特性によって、無線通信システムの電波環境を改善し、且つ、カバーレッジを拡張するのに使用可能である。
【００９４】
具体的に、第１の放射スロットパターン４２１に受信された電波信号は、インピーダンス整合によって最大の効率により第３の放射スロットパターン４２３に伝達されて放射され、同時に第３の放射スロットパターン４２３に受信された電波信号はインピーダンス整合によって最大の効率により第１の放射スロットパターン４２１に伝達されて放射される。また、第２の放射スロットパターン４２２に受信された電波信号はインピーダンス整合によって最大の効率により第４の放射スロットパターン４２４に伝達されて放射され、第４の放射スロットパターン４２４に受信された電波信号はインピーダンス整合によって最大の効率により第２の放射スロットパターン４２２に伝達されて放射される。
【００９５】
一方、第１の放射スロットパターン４２１と、第２の放射スロットパターン４２２と、第３の放射スロットパターン４２３及び第４の放射スロットパターン４２４に受信された電波信号は、向かい合う放射スロットパターンだけではなく、両脇の隣り合う放射スロットパターンにも誘起されることがあるが、第１の放射スロットパターン４２１に受信された電波信号の一部が第２の放射スロットパターン４２２及び第４の放射スロットパターン４２４に誘起されて放射され、第２の放射スロットパターン４２２に受信された電波信号の一部が第１の放射スロットパターン４２１及び第３の放射スロットパターン４２３に誘起されて放射される。なお、第３の放射スロットパターン４２３に受信された電波信号の一部が第２の放射スロットパターン４２２及び第４の放射スロットパターン４２４に誘起されて放射され、第４の放射スロットパターン４２４に受信された電波信号の一部が第１の放射スロットパターン４２１及び第３の放射スロットパターン４２３に誘起されて放射される。
【００９６】
要するに、このような過程によって前記４重増強アンテナは無線信号を受信してインピーダンス整合によって最大の効率により再放射し、増強アンテナの周りの電波の増強に寄与することになる。
【００９７】
前記４重増強アンテナの動作と関連する図１１乃至図１３を参照すると、４重増強アンテナ４１０における第１の放射スロットパターン４２１と、第２の放射スロットパターン４２２と、第３の放射スロットパターン４２３及び第４の放射スロットパターン４２４を基準として給電部４７１、４７４、給電部４７１、４７２、給電部４７２、４７３、給電部４７３、４７４からそれぞれの相手を眺めた反射係数Ｓ１１、Ｓ２２、Ｓ３３、Ｓ４４を確認できる。
【００９８】
また、図１４乃至図１５を参照すると、４重増強アンテナ４１０における第１の放射スロットパターン４２１と、第２の放射スロットパターン４２２と、第３の放射スロットパターン４２３及び第４の放射スロットパターン４２４を基準として給電部４７１、４７４、給電部４７１、４７２、給電部４７２、４７３、給電部４７３、４７４からそれぞれの相手を眺めた伝達係数Ｓ２１、Ｓ３１、Ｓ４１を確認することができる。
【００９９】
そして、図１６を参照すると、４重増強アンテナ４１０が放射する電波の特性を確認できる。このような前記４重増強アンテナの電波放射特性は、全方向に均一に電波を放射する球状であり、図９に示す二重増強アンテナの電波放射特性と比較して電波放射特性が改善されたことを確認できる。
【０１００】
一方、上述したように、本発明の一実施形態による４重増強アンテナ４１０は、複数の放射スロットによってマルチカップリング領域を形成するため、図１０の上部に示すアンテナパターン４００よりも広い帯域幅において無線信号を送受信して電波環境を改善できる。
【０１０１】
上述したように、本発明の一実施形態による増強アンテナは、電波環境がよくない自由空間上の無線信号を同時に送受信して無線通信システムのカバーレッジ拡張に寄与できる。
【０１０２】
また、本発明の一実施形態による増強アンテナは、端末を多重電波信号環境に露出させずに電波環境を改善できる。
【０１０３】
さらに、本発明の一実施形態による増強アンテナは、中継器と超小型基地局の拡張に依存せずに、低コストにより電波環境を改善できる。
【０１０４】
さらに、本発明の一実施形態による増強アンテナは、マルチカップリングの誘導を通じて広い周波数帯域幅において電波を再放射できる。このため、広い周波数帯域において電波環境を改善できる。
【０１０５】
そして、本発明の一実施形態による増強アンテナは、電波環境を改善するためのアンテナパターンを誘電層の上に平面状に形成できる。このため、シート状やステッカ状に製作可能であり、様々な製品の表面に適用されて電波環境を改善できる。
【０１０６】
上述した本発明の実施形態は例示のために開示されたものであり、本発明における技術分野において通常の知識を有する者であれば、本発明の思想と範囲内において様々な修正、変更、付加が可能である筈であり、このような修正、変更及び付加はこの特許請求の範囲に属するものと見なされるべきである。
【符号の説明】
【０１０７】
１１０  一字状放射スロットパターン
１１１、１１２、３３３、３３４、４７１、４７２、４７３、４７４  給電部
１１３  第１の放射スロット
１１４  第２の放射スロット
２１０  Ｖ字状放射スロットパターン
２１３  第１の放射スロット
２１４  第２の放射スロット
３１０  二重増強アンテナ
３１１  第１の放射スロットパターン
３１２  第２の放射スロットパターン
３１３  第１−１の放射スロット
３１８  第１−２の放射スロット
３２３  第２−２の放射スロット
３２８  第２−１の放射スロット
４１０  ４重増強アンテナ
４２１  第１の放射スロットパターン
４２２  第２の放射スロットパターン
４２３  第３の放射スロットパターン
４２４  第４の放射スロットパターン
４３０  第１−２の放射スロット
４３５  第２−１の放射スロット
４４０  第２−２の放射スロット
４４５  第３−１の放射スロット
４５０  第３−２の放射スロット
４５６  第４−１の放射スロット
４６１  第４−２の放射スロット
４６６  第１−１の放射スロット
【図１】
0005844918.tif 000002
【図２】
0005844918.tif 000003
【図３】
0005844918.tif 000004
【図４】
0005844918.tif 000005
【図５】
0005844918.tif 000006
【図６】
0005844918.tif 000007
【図７】
0005844918.tif 000008
【図８】
0005844918.tif 000009
【図９】
0005844918.tif 000010
【図１０】
0005844918.tif 000011
【図１１】
0005844918.tif 000012
【図１２】
0005844918.tif 000013
【図１３】
0005844918.tif 000014
【図１４】
0005844918.tif 000015
【図１５】
0005844918.tif 000016
【図１６】
0005844918.tif 000017
【図１７】
0005844918.tif 000018